(57)【要約】 【課題】  変化に富んだ光を発光して遊技者の興味を引き付けることができる遊技機を提供する。【解決手段】  遊技盤１に、センター役物２や一般入賞口３、特定入賞口４、固定装飾部材５などを配置したうえに、プラズマ放電式の装飾ランプ７を左右に対をなして配設する。また、遊技盤１の上方には、プラズマ放電式の報知ランプ６を配設する。装飾ランプ７は、大当りが発生した時などに稲妻の如く放射光２８を発光させることにより、遊技者に対して従来にない遊技の興趣を付与することができる。また、報知ランプ６は、球詰まりなどの異常が発生したときに放射光２８を発光させて通常のランプより目立たせることができるので、ホール従業員はトラブル解消対策をすばやく講ずることができる。【選択図】    図１
2005152413.tif 000002
【特許請求の範囲】
【請求項１】
遊技機の前面側に、プラズマ放電による放射光を発生させる電飾部品を配設したことを特徴とする遊技機。
【請求項２】
電飾部品は、交流電磁界発生部と、この交流電磁界発生部を覆う放電容器とを備えていることを特徴とする請求項１に記載の遊技機。
【請求項３】
放電容器は、立体形状の容器であって視覚を通じて美観を起こさせるものであることを特徴とする請求項２に記載の遊技機。
【請求項４】
放電容器は、平板状のパネルであることを特徴とする請求項２に記載の遊技機。
【請求項５】
遊技機は遊技盤を有しており、この遊技盤の左右に一対の電飾部品を配設したことを特徴とする請求項１〜４の何れかに記載の遊技機。
【請求項６】
放電容器に導電体を接触させて、導電体と交流電磁界発生部との間でプラズマを発生させることを特徴とする請求項２〜５の何れかに記載の遊技機。
【発明の詳細な説明】
【技術分野】
【０００１】
本発明は、パチンコ機やスロットマシンなどの遊技機に関するものである。
【背景技術】
【０００２】
遊技機の一つであるパチンコ機においては、遊技中一度に多くの入賞球を発生させる大当り状態になった時などに、きらびやかに点滅したりして遊技の興趣を盛り上げることができる電飾部品が配設されている。このような電飾部品として、例えば特許文献１には、パチンコ機やパチンコ機を複数並設した島台の適宜個所に、フラッシュランプを内蔵したランプ飾りを配設したものが開示されている。このランプ飾りは、大当り状態などになった時にフラッシュランプを発光・点滅するようにしてこれを報知する。以上のようなフラッシュランプによっても遊技の興趣を盛り上げることはできるが、最近の遊技機においては、遊技者の興味を引き付けるために、さらに刺激的で変化に富んだ電飾部品を有することが求められている。
【特許文献１】特開平６−１９８０６６号公報  (図１)
【発明の開示】
【発明が解決しようとする課題】
【０００３】
本発明は上記した従来の問題点を解決して、変化に富んだ光を発光して遊技者の興味を引き付けることができる遊技機を提供するためになされたものである。
【課題を解決するための手段】
【０００４】
上記の課題を解決するためになされた本発明の遊技機は、遊技機の前面側に、プラズマ放電による放射光を発生させる電飾部品を配設したことを特徴とするものである。なお、電飾部品は、交流電磁界発生部と、この交流電磁界発生部を覆う放電容器とを備えているものとすることができ、前記放電容器は、立体形状の容器であって視覚を通じて美観を起こさせるものとするのが望ましい。また、放電容器として、平板状のパネルを用いることができる。また、遊技機は遊技盤を有しており、この遊技盤の左右に一対の電飾部品を配設することができる。さらに、放電容器に導電体を接触させて、導電体と交流電磁界発生部との間でプラズマを発生させることができる。
【発明の効果】
【０００５】
本発明の遊技機は、遊技機の前面側に、プラズマ放電を利用した電飾部品を配設したので、大当り発生時などにこの電飾部品に放射光を発光させて遊技の興趣を大きく盛り上げることができる。電飾部品を、交流電磁界発生部と、この交流電磁界発生部を覆う放電容器とを備えているものとして、プラズマにより交流電磁界発生部と放電容器との間に、不規則に揺れ動く放射光を発生させることができる。前記放電容器を、立体形状の容器であって視覚を通じて美観を起こさせるものとすることによって、遊技機をきらびやかに装飾することができる。また、放電容器として、平板状のパネルを用いることによっても、プラズマ放電により遊技機を装飾することができる。また、遊技機の有する遊技盤の左右に一対の電飾部品を配設して、大当りなどの遊技の状態に対応させて発光させることによっても、遊技の興趣を大きく盛り上げることができる。さらに、放電容器に導電体を接触させることによって、導電体と交流電磁界発生部との間に強力な放射光を発生させることができる。
【発明を実施するための最良の形態】
【０００６】
以下に図面を参照しつつ本発明の好ましい実施形態を説明する。
図１はパチンコ機の上半部を示す正面図であって、１は遊技盤である。この遊技盤１にはセンター役物２や一般入賞口３、特定入賞口４、固定装飾部材５などが配置されている。そして、遊技盤１の上方には、プラズマ放電式の電飾部品である報知ランプ６が配設され、さらに遊技盤１内には、プラズマ放電式の電飾部品である装飾ランプ７が左右に対をなして配設されている。報知ランプ６は、球詰まりなどの異常が発生したときに稲妻のごとき光を発して通常のランプより目立たせることができるので、ホール従業員はトラブル解消対策をすばやく講ずることができる。また、装飾ランプ７は、大当りが発生した時などに揺れ動く放射光を発光させることにより、遊技者に対して従来にない遊技の興趣を付与することができる。
【０００７】
プラズマ放電式の電飾部品の構造を、図２に示す電球型プラズマランプにより説明する。
このプラズマランプにおいて、２１は透明ガラスからなる略球状の放電容器であって、外管２２とその内に略円筒形状の凹入部２３を有する内管２４とを備えている。凹入部２３には、フェライト製のコア２５が配置されており、このコア２５には、放電容器２１内に交流電磁界を発生させるコイル２６が巻かれている。このようにコイル２６とコア２５とが配置されて交流電磁界を発生することから、コイル２６とコア２５を取り巻くようなリング形状のプラズマ２７が放電容器２１内に発生する。このプラズマ２７による放電により放電容器２１とコア２５の間に不規則に変化する放射状ないし稲妻状などの放射光２８が生じる。
【０００８】
前記プラズマランプにおいて、コイル２６は、コイル２６に交流電流を供給する点灯回路２９に電気的に接続されており、点灯回路２９は電源に接続される口金３０に電気的に接続されている。また、点灯回路２９を囲むようにケース３１が設けられており、ケース３１には放電容器２１と口金３０が取り付けられている。口金３０は、図示していないソケットに螺入されて外部電源によりプラズマランプが点灯される。
【０００９】
なお、前記コイル２６に代えて、交流電磁界発生体をキャップ状に形成してコア２５の先端に被せた場合には、プラズマ２７がキャップ形状に形成されて放電容器２１の上方にも放射光を発散させることができる。
【００１０】
放電容器２１は、例えば、蛇のようにうねった形状、螺旋状に巻いた形状、立体的な星型形状、楕円体状、動物形状などの任意の形状のものとすることができる。また、電飾部品は、図３に示すようなプラズマパネルとすることもできる。このプラズマパネルは、若干厚みのある円盤状の放電容器２２を有し、また、コア２５にはキャップ状の交流電磁界発生体３２が被せられている。このプラズマパネルを用いた場合にも、蜘蛛の巣状や雷光状の放射光２８を発光させることができる。
【００１１】
上記プラズマランプ、プラズマパネルにおいては、放電容器２２への指の接触や回りの声、音楽などに反応させて放射光２８を揺り動かし光のダンスを演出することができる。また、図４に示すように導電体である金属片３３を接触させることにより大きな放射光２８を金属片３３との間で生じさせることができる。放電容器２２との接触面積が大きいほど強い放射光線を発光させることができる。また、金属片３３を複数にしたり、金属片３３を交互に接触させたり、或いは摺動させることによって放射光２８の揺動を複雑に変化させることができる。導電体として導電性のあるプラスチックやセラミックを用いることができる。
【００１２】
以上に説明したように、本発明の遊技機はプラズマ放電式の電飾部品が配設されているので、回りの音や金属の接触に反応して変化する稲妻のごとき放射光を発することができる。したがって、遊技の興趣を大幅に盛り上げて、遊技者の興味を引き付けることができるという大きな利点を有する。なお、本発明の遊技機はパチンコ機に限定されるものではなく、スロットマシン、パチスロ機等の各種の遊技機を含む。
【図面の簡単な説明】
【００１３】
【図１】本発明に係る遊技機の上半部を示す正面図である。
【図２】電球型プラズマランプの構造図である。
【図３】プラズマパネルの正面図である。
【図４】金属片を接触させたプラズマランプの正面図である。
【符号の説明】
【００１４】
１  遊技盤
２  センター役物
３  一般入賞口
４  特定入賞口
５  固定装飾部材
６  プラズマ放電式の報知ランプ
７  プラズマ放電式の装飾ランプ
２８  放射光
【図１】
2005152413.tif 000003
【図２】
2005152413.tif 000004
【図３】
2005152413.tif 000005
【図４】
2005152413.tif 000006